(57)【要約】【課題】電気光学素子に非順バイアスを印加することにより、該電気光学素子の長寿命化を図ることができる電気光学装置、電気光学装置の駆動方法、及び電子機器を提供する。【解決手段】走査線Ｙ１とデータ線Ｘ１との交差部に対応して画素回路２０が設けられている。画素回路２０は、有機ＥＬ素子２１、駆動トランジスタＱ２０、スイッチングトランジスタＱ２１〜Ｑ２４、プログラムトランジスタＱ２５、及び保持キャパシタＣ１を備える。画素回路２０において、有機ＥＬ素子２１の非発光時に、スイッチングトランジスタＱ２４をオン状態にし、有機ＥＬ素子２１の画素電極を次段の走査線Ｙ２に導通させて該有機ＥＬ素子２１に逆バイアスを印加する。【選択図】図２
2010181903.tif 000002
【特許請求の範囲】
【請求項１】
複数の走査線と、複数のデータ線と、前記複数の走査線と前記複数のデータ線との交差部に対応して設けられ、各々が電気光学素子を含む複数の画素回路と、を含む電気光学装置であって、
前記複数の画素回路の各々は、
前記複数の走査線のうち対応する走査線からの走査信号によって制御される第１のスイッチング素子と、
前記データ線から前記第１のスイッチング素子を介して供給されたデータを保持する保持部と、
前記保持部のデータに応じた駆動電流を前記電気光学素子に供給する駆動素子と、
前記電気光学素子に接続され、該電気光学素子を前記対応する走査線とは異なる走査線と導通させるための第２のスイッチング素子と、を含み、
前記電気光学素子の非駆動時に、前記第２のスイッチング素子をオン状態にして、該電気光学素子に非順バイアスを印加するようにしたことを特徴とする電気光学装置。
【請求項２】
請求項１に記載の電気光学装置において、
前記駆動電流を流す経路に設けられ、前記非順バイアスの印加時に、該経路を電気的に遮断する第３のスイッチング素子を含むことを特徴とする電気光学装置。
【請求項３】
請求項１に記載の電気光学装置において、
前記非順バイアスを印加する際に、前記保持部のデータをリセットするリセット機構を含むことを特徴とする電気光学装置。
【請求項４】
請求項１に記載の電気光学装置において、
前記第２のスイッチング素子は、１フレーム或いは１垂直走査期間において複数回オン状態とされることを特徴とする電気光学装置。
【請求項５】
請求項１〜４のいずれか１つに記載の電気光学装置において、
前記第２のスイッチング素子は、前記電気光学素子を狭持する第１電極及び第２電極のうち前記第１電極に接続されるものであり、その第２のスイッチング素子を介して導通させる前記異なる走査線の電位は、該第２のスイッチング素子をオン状態にする期間の少なくとも一部の期間において、前記第２電極の電位と同等であるかあるいは低いことを特徴とする電気光学装置。
【請求項６】
請求項１〜５のいずれか１つに記載の電気光学装置において、
前記異なる走査線は、前記対応する走査線の次に選択される次段の走査線であることを特徴とする電気光学装置。
【請求項７】
複数の走査線と、複数のデータ線と、前記複数の走査線と前記複数のデータ線との交差部に対応して設けられ、各々が電気光学素子を含む複数の画素回路と、を含む電気光学装置であって、
前記画素回路は、
前記複数の走査線のうち対応する走査線からの走査信号によって制御される第１のスイッチング素子と、
前記データ線から前記第１のスイッチング素子を介して供給されたデータを保持する保持部と、
前記保持部のデータに応じた駆動電流を前記電気光学素子に供給する駆動素子と、
前記電気光学素子に接続され、該電気光学素子を電圧供給線に導通させるための第２のスイッチング素子と、
前記保持部のデータをリセットするリセット機構と、を含み、前記リセット機構によりデータをリセットし、前記駆動素子をオフ状態とした状態で、前記第２のスイッチング素子をオン状態として、前記電気光学素子に非順バイアスを印加するようにしたことを特徴とする電気光学装置。
【請求項８】
請求項１〜７のいずれか１つに記載の電気光学装置において、
前記第２のスイッチング素子は、Ｎチャネルのトランジスタであり、前記電気光学素子の画素電極に接続されることを特徴とする電気光学装置。
【請求項９】
請求項１〜７のいずれか１つに記載の電気光学装置において、
前記第２のスイッチング素子は第１のトランジスタにより構成され、
前記第３のスイッチング素子は第２のトランジスタにより構成され、
前記第１のトランジスタと前記第２のトランジスタは互いに異なる導電型であり、
前記第１のトランジスタ及び前記第２のトランジスタはともに同一の制御信号により制御されることを特徴とする電気光学装置。
【請求項１０】
請求項９に記載の電気光学装置において、
前記第１のトランジスタと前記第２のトランジスタは相補的に制御されることを特徴とする電気光学装置。
【請求項１１】
複数の走査線と、複数のデータ線と、前記複数の走査線と前記複数のデータ線との交差部に対応して設けられ、各々が電気光学素子を含む複数の画素回路と、を含む電気光学装置の駆動方法であって、
前記複数の走査線のうち対応する走査線からの走査信号によってスイッチング素子を制御し、前記データ線からそのスイッチング素子を介して供給されるデータを保持部に保持するステップと、
そのデータに応じた駆動電流を前記電気光学素子に供給し、該電気光学素子を駆動するステップと、
前記電気光学素子の非駆動時にて、前記電気光学素子を前記対応する走査線とは異なる走査線と導通させ、該電気光学素子に非順バイアスを印加するステップと、を含むことを特徴とする電気光学装置の駆動方法。
【請求項１２】
請求項１〜１０のいずれか１つに記載の電気光学装置を備えたことを特徴とする電子機器。
【発明の詳細な説明】
【技術分野】
【０００１】
本発明は、電気光学装置、電気光学装置の駆動方法、及び電子機器に関する。
【背景技術】
【０００２】
近年、電気光学装置として有機ＥＬ素子を用いた表示装置が、低消費電力、高視野角、高コントラスト比で他の表示装置よりも優れているとして注目されている。この種の表示装置は、複数の走査線と、複数のデータ線と、それら走査線とデータ線との交差部に対応して配置された複数の画素回路とを有している。画素回路には、有機ＥＬ素子と、データ線からのデータに応じた電圧を保持する保持キャパシタと、その保持キャパシタの保持電圧に応じた駆動電流を有機ＥＬ素子に供給するための駆動トランジスタ等が設けられている。そして、その表示装置では、保持キャパシタの保持電圧に応じた駆動電流が駆動トランジスタから有機ＥＬ素子に供給されることで、その駆動電流に応じた輝度で有機ＥＬ素子が発光する。この有機ＥＬ素子の発光期間内では、駆動電流が有機ＥＬ素子に供給され、順バイアスに設定された有機ＥＬ素子が発光するが、それ以外の期間では、駆動トランジスタがオフして駆動電流の経路が遮断されるため、有機ＥＬ素子は発光しない。
【０００３】
ところで、有機ＥＬ素子の非発光期間において有機ＥＬ素子に非順バイアス（０Ｖ又は逆バイアス）を印加すると、該有機ＥＬ素子の寿命が延びることが知られており、本発明者らはその非順バイアスを印加するための回路を検討している。
【０００４】
なお従来では、有機ＥＬ素子の共通電極（対向電極）に逆バイアスを印加するように構成した表示装置が、例えば特許文献１や特許文献２等で提案されている。
【先行技術文献】
【特許文献】
【０００５】
【特許文献１】特開２００１−１４２４１３号公報
【特許文献２】特開２０００−１１２４３３号公報
【発明の概要】
【発明が解決しようとする課題】
【０００６】
上記特許文献１や特許文献２の表示装置では、発光期間にて有機ＥＬ素子に順バイアスを印加するときと、非発光期間にて有機ＥＬ素子に逆バイアスを印加するときとで共通電極の電位を変化（振幅）させている。
【０００７】
すなわち、その表示装置において、走査ライン毎に共通電極（帯状電極）が設けられており、走査ライン毎に独立して逆バイアスを印加するよう構成されている。この構成では、走査ライン毎に有機ＥＬ素子の対向電極のパターニングをする必要があり、かつ、各電極の電位を振幅させる回路が必要となるため、その製造が困難となる。また、走査ライン毎のパターニングをすると、比較的細い配線の抵抗の影響によって駆動電流の電流密度の差が発生してしまい、表示画面における中央部分と周辺部分とで表示ムラが問題となる場合がある。
【０００８】
本発明は上記問題点を解決するためになされたものであって、その目的は、新規な回路構成で電気光学素子に非順バイアスを印加することにより、該電気光学素子の長寿命化を図ることができる電気光学装置、電気光学装置の駆動方法、及び電子機器を提供することにある。
【課題を解決するための手段】
【０００９】
本発明における電気光学装置は、複数の走査線と、複数のデータ線と、前記複数の走査線と前記複数のデータ線との交差部に対応して設けられ、各々が電気光学素子を含む複数の画素回路と、を含む電気光学装置であって、前記複数の画素回路の各々は、前記複数の走査線のうち対応する走査線からの走査信号によって制御される第１のスイッチング素子と、前記データ線から前記第１のスイッチング素子を介して供給されたデータを保持する保持部と、前記保持部のデータに応じた駆動電流を前記電気光学素子に供給する駆動素子と、前記電気光学素子に接続され、該電気光学素子を前記対応する走査線とは異なる走査線と導通させるための第２のスイッチング素子と、を含み、前記電気光学素子の非駆動時に、前記第２のスイッチング素子をオン状態にして、該電気光学素子に非順バイアスを印加するようにした。
【００１０】
これによれば、電気光学素子の非駆動時において、走査線を利用して電気光学素子に対して非順バイアスが印加されるため、電気光学素子の長寿命化を図ることができる。また、既存の走査線を利用して非順バイアスを印加できることから、非順バイアスの印加のために必要となる配線の増加を抑えることができる。
【００１１】
この電気光学装置において、前記駆動電流を流す経路に設けられ、前記非順バイアスの印加時に、該経路を電気的に遮断する第３のスイッチング素子を含む。
これによれば、第３のスイッチング素子により、駆動電流の経路が遮断されるため、電気光学素子に非順バイアスを確実に印加することができる。
【００１２】
この電気光学装置において、前記非順バイアスを印加する際に、前記保持部のデータをリセットするリセット機構を含む。
これによれば、リセット機構によって保持部のデータがリセットされ、駆動素子がオフ状態された後に、電気光学素子に非順バイアスが印加される。この場合、駆動電流の経路を遮断するためのスイッチング素子を設けることなく、非順バイアスを確実に印加することができる。
【００１３】
この電気光学装置において、前記第２のスイッチング素子は、１フレーム或いは１垂直走査期間において複数回オン状態とされる。
これによれば、フレーム或いは１垂直走査期間において、電気光学素子への非順バイアスの印加が複数回実施されることとなり、電気光学素子の寿命をより向上させることができる。
【００１４】
この電気光学装置において、前記第２のスイッチング素子は、前記電気光学素子を狭持する第１電極及び第２電極のうち前記第１電極に接続されるものであり、その第２のスイッチング素子を介して導通させる前記異なる走査線の電位は、該第２のスイッチング素子をオン状態にする期間の少なくとも一部の期間において、前記第２電極の電位と同等であるかあるいは低い。
【００１５】
これによれば、第２のスイッチング素子がオン状態となるオン期間の少なくとも一部の期間において、電気光学素子を狭持する電極間には０Ｖあるいは逆バイアスが印加される。
【００１６】
この電気光学装置において、前記異なる走査線は、前記対応する走査線の次に選択される次段の走査線である。
これによれば、隣接する走査線の電位を利用して非順バイアスが印加されるので、その印加のために必要となる配線を最小限に抑えることができる。
【００１７】
本発明における電気光学装置は、複数の走査線と、複数のデータ線と、前記複数の走査線と前記複数のデータ線との交差部に対応して設けられ、各々が電気光学素子を含む複数の画素回路と、を含む電気光学装置であって、前記画素回路は、前記複数の走査線のうち対応する走査線からの走査信号によって制御される第１のスイッチング素子と、前記データ線から前記第１のスイッチング素子を介して供給されたデータを保持する保持部と、前記保持部のデータに応じた駆動電流を前記電気光学素子に供給する駆動素子と、前記電気光学素子に接続され、該電気光学素子を電圧供給線に導通させるための第２のスイッチング素子と、前記保持部のデータをリセットするリセット機構と、を含み、前記リセット機構によりデータをリセットし前記駆動素子をオフ状態とした状態で、前記第２のスイッチング素子をオン状態として、前記電気光学素子に非順バイアスを印加するようにした。
【００１８】
これによれば、リセット機構により保持部のデータがリセットされ駆動素子がオフ状態とされる。これにより、電気光学素子への駆動電流の供給が停止されて該電気光学素子が非駆動状態となる。その電気光学素子の非駆動時において、第２のスイッチング素子がオン状態とされ、電気光学素子と電圧供給線とが導通される。これにより、電圧供給線を介して電気光学素子に非順バイアスを印加することができ、電気光学素子の長寿命化を図ることができる。
【００１９】
この電気光学装置において、前記第２のスイッチング素子は、Ｎチャネルのトランジスタであり、前記電気光学素子の画素電極に接続される。
これによれば、第２のスイッチング素子としてＮチャネルのトランジスタを用いることにより、電気光学素子の画素電極に、対向電極よりも低い電圧を確実に供給することができる。
【００２０】
上記の電気光学装置において、前記第２のスイッチング素子は第１のトランジスタにより構成され、前記第３のスイッチング素子は第２のトランジスタにより構成され、前記第１のトランジスタと前記第２のトランジスタは互いに異なる導電型であり、前記第１のトランジスタ及び前記第２のトランジスタはともに同一の制御信号により制御されるようにしてもよい。
【００２１】
これによれば、前記第１のトランジスタ及び前記第２のトランジスタに対して、前記制御信号を伝送するための配線を共通化することが可能となり、前記画素回路を制御するための配線数を低減することができる。
【００２２】
さらに前記第１のトランジスタと前記第２のトランジスタは相補的に制御されるようにしてもよい。
なお、前記制御信号を伝送するために配線は、例えば、前記制御信号によって制御される前記第１のトランジスタ及び前記第２のトランジスタを含む前記画素回路の前記第１のスイッチング素子を制御する走査信号を伝送する走査線と同一方向に延在する配線であってもよいし、データ線方向に延在する配線であってもよい。
【００２３】
さらに、前記走査線そのものであってもよく、これにより、前記画素回路を駆動するための配線の数は最小限とすることが可能となる。この場合、前記第１のスイッチング素子をオン状態としている期間は、前記第２のスイッチング素子及び前記第３のスイッチング素子をそれぞれオン状態及びオフ状態となるように前記第１のトランジスタ及び前記第２のトランジスタを構成することが好ましい。
【００２４】
本発明における電気光学装置の駆動方法は、複数の走査線と、複数のデータ線と、前記複数の走査線と前記複数のデータ線との交差部に対応して設けられ、各々が電気光学素子を含む複数の画素回路と、を含む電気光学装置の駆動方法であって、前記複数の走査線のうち対応する走査線からの走査信号によってスイッチング素子を制御し、前記データ線からそのスイッチング素子を介して供給されるデータを保持部に保持するステップと、そのデータに応じた駆動電流を前記電気光学素子に供給し、該電気光学素子を駆動するステップと、前記電気光学素子の非駆動時にて、前記電気光学素子を前記対応する走査線とは異なる走査線と導通させ、該電気光学素子に非順バイアスを印加するステップと、を含む。
【００２５】
これによれば、電気光学素子の非駆動時において、走査線を利用して電気光学素子に対して非順バイアスが印加されるため、電気光学素子の長寿命化を図ることができる。また、既存の走査線を利用して非順バイアスを印加できることから、非順バイアスの印加のために必要となる配線の増加を抑えることができる。
【００２６】
本発明における電子機器は、上記に記載の電気光学装置を備える。
これによれば、電子機器の表示品位を長期間にわたり維持することができ、寿命の長い電子機器を実現することができる。
【図面の簡単な説明】
【００２７】
【図１】第１実施形態の有機ＥＬディスプレイの電気的構成を説明するためのブロック回路図。
【図２】第１実施形態の画素回路の構成を示す回路図。
【図３】画素回路を駆動するための各走査信号を示すタイミングチャート。
【図４】第２実施形態の画素回路の構成を示す回路図。
【図５】画素回路を駆動するための各走査信号を示すタイミングチャート。
【図６】第３実施形態の画素回路の構成を示す回路図。
【図７】画素回路を駆動するための各走査信号を示すタイミングチャート。
【図８】第４実施形態の画素回路の構成を示す回路図。
【図９】画素回路を駆動するための各走査信号を示すタイミングチャート。
【図１０】第５実施形態を説明するためのパーソナルコンピュータの斜視図。
【図１１】画素回路の別例を説明するための回路図。
【図１２】画素回路の別例を説明するための回路図。
【図１３】画素回路を駆動するための各走査信号の別例を示すタイミングチャート。
【発明を実施するための形態】
【００２８】
（第１実施形態）
以下、本発明を具体化した第１実施形態を図１〜図３に従って説明する。
【００２９】
図１には、電気光学装置としての有機ＥＬディスプレイ１０の電気的構成を説明するためのブロック回路図を示す。図１において、有機ＥＬディスプレイ１０は、表示パネル部１１、走査線駆動回路１２、データ線駆動回路１３及び制御回路１４を備えている。
【００３０】
有機ＥＬディスプレイ１０の表示パネル部１１、走査線駆動回路１２、データ線駆動回路１３及び制御回路１４は、それぞれが独立した電子部品によって構成されていてもよい。例えば、走査線駆動回路１２、データ線駆動回路１３及び制御回路１４が１チップの半導体集積回路装置によって構成されていてもよい。また、表示パネル部１１、走査線駆動回路１２、データ線駆動回路１３及び制御回路１４の全部若しくは一部が一体となった電子部品として構成されていてもよい。例えば、表示パネル部１１に、データ線駆動回路１３と走査線駆動回路１２とが一体的に形成されていてもよい。走査線駆動回路１２、データ線駆動回路１３及び制御回路１４の全部若しくは一部がプログラマブルなＩＣチップで構成され、その機能がＩＣチップに書き込まれたプログラムによりソフトウェア的に実現されてもよい。
【００３１】
表示パネル部１１は、図１に示すように、マトリクス状に配列された複数の画素回路２０を有している。つまり、各画素回路２０は、その列方向に沿ってのびる複数（ｍ本）のデータ線Ｘ１〜Ｘｍ（ｍは整数）と、行方向に沿ってのびる複数（ｎ本）の走査線Ｙ１〜Ｙｎ（ｎは整数）との交差部に対応して配置されている。そして、各画素回路２０は、対応する各データ線Ｘ１〜Ｘｍと各走査線Ｙ１〜Ｙｎとの間にそれぞれ接続されることにより、マトリクス状に配列されている。また、各画素回路２０には、第１の電源線Ｌｄｄ及び第２の電源線Ｌｓｓが接続されており、第１の電源線Ｌｄｄを介して所定の電源電圧Ｖｄｄが供給され、第２の電源線Ｌｓｓを介して電源電圧Ｖｄｄよりも低い基準電圧Ｖｓｓ（具体的には、０Ｖの電圧）が供給される。各画素回路２０は、発光層が有機材料で構成された電気光学素子としての有機ＥＬ素子２１を含む。なお、画素回路２０内に形成される後記するトランジスタは、通常は薄膜トランジスタ（ＴＦＴ）で構成している。
【００３２】
制御回路１４は、図示しない上位装置より入力される垂直同期信号、水平同期信号、クロック信号、及び階調データ等に基づいて、走査線駆動回路１２とデータ線駆動回路１３とを同期制御する。この同期制御により、走査線駆動回路１２、及びデータ線駆動回路１３は、互いに協働して表示パネル部１１の表示制御を行う。
【００３３】
走査線駆動回路１２は、シフトレジスタ、出力回路等を主体に構成されている。この走査線駆動回路１２は、走査線Ｙ１〜Ｙｎに、走査信号Ｓｃ１〜Ｓｃｎを出力することによって、走査線Ｙ１〜Ｙｎを所定の順序で選択していく。走査信号Ｓｃ１〜Ｓｃｎは、高レベル（Ｈレベル）または低レベル（Ｌレベル）の２値的な信号レベルをとる。走査線駆動回路１２は、制御回路１４からの各種信号に基づいて所定のタイミングでＨレベルの走査信号Ｓｃ１〜Ｓｃｎを順次出力する。これにより、１垂直走査期間（１Ｆ）において、所定の選択順序で（一般的には最上から最下に向かって）一水平ライン分の画素群が選択されていく順次走査が行われる。
【００３４】
データ線駆動回路１３は、シフトレジスタ、ラインラッチ回路、出力回路等を主体に構成されている。データ線駆動回路１３は、階調表示するための階調データに応じた電流に変換する可変電流源を含み、各データ線Ｘ１〜Ｘｍに対して画像データを該画像データに相応した電流レベルを有する電流として出力する。つまり、本実施形態の有機ＥＬディスプレイ１０は、データの書き込み方式として電流プログラム方式が用いられている。
【００３５】
データ線駆動回路１３は、１水平走査期間（１Ｈ）において、今回データを書き込む画素行に対するデータ電流Ｉｄ１〜Ｉｄｍの出力と、シリアル的に供給される、次の１Ｈで書き込みを行う画素行に関するデータのラッチとを行う。つまり、ある１Ｈにおいて、次にデータ線Ｘに供給されることになる、データ線Ｘの本数に相当するｍ個のデータが順次ラッチされる。そして、次の１Ｈにおいて、ラッチされたｍ個のデータは、データ電流Ｉｄ１〜Ｉｄｍに変換された上で、それぞれのデータ線Ｘ１〜Ｘｍに対して出力される。なお、データ線駆動回路１３に対してフレームメモリ等（図示せず）から直接データを線順次的に入力する構成としてもよい。なおその場合には、データ線駆動回路１３にシフトレジスタを特に設ける必要がなくなる。
【００３６】
図２は、本実施形態における画素回路２０の内部回路構成を説明するための電子回路図を示す。なお、同図では、１番目のデータ線Ｘ１と１番目の走査線Ｙ１との交差部に対応して配置され、データ線Ｘ１と走査線Ｙ１との間に接続された画素回路２０について説明する。図示を省略しているが、他の画素回路２０も同様の回路構成となっている。
【００３７】
図２に示すように、画素回路２０は、有機ＥＬ素子２１に加え、駆動トランジスタＱ２０と複数のスイッチングトランジスタＱ２１〜Ｑ２４とプログラムトランジスタＱ２５と保持キャパシタＣ１とを備える。駆動トランジスタＱ２０、スイッチングトランジスタＱ２１、及びプログラムトランジスタＱ２５は、Ｐチャネルトランジスタより構成され、スイッチングトランジスタＱ２２〜Ｑ２４は、Ｎチャネルトランジスタより構成されている。
【００３８】
画素回路２０の有機ＥＬ素子２１は、画素電極（第１電極）及び対向電極（第２電極）に狭持されている。駆動トランジスタＱ２０は、ドレインがスイッチングトランジスタＱ２１を介して有機ＥＬ素子２１を狭持する画素電極に接続され、ソースが第１の電源線Ｌｄｄに接続されている。有機ＥＬ素子２１を狭持する対向電極には、第２の電源線Ｌｓｓの電圧、すなわち、基準電圧Ｖｓｓが印加されている。また、駆動トランジスタＱ２０のゲートと第１の電源線Ｌｄｄとの間には、保持キャパシタＣ１が接続されている。さらに、駆動トランジスタＱ２０のゲートは、スイッチングトランジスタＱ２２及びスイッチングトランジスタＱ２３を介してデータ線Ｘ１に接続されている。
【００３９】
スイッチングトランジスタＱ２２とスイッチングトランジスタＱ２３との接続点は、プログラムトランジスタＱ２５のドレインに接続されており、プログラムトランジスタＱ２５のソースが第１の電源線Ｌｄｄに接続されている。また、プログラムトランジスタＱ２５のゲートは、スイッチングトランジスタＱ２２と保持キャパシタＣ１との接続点（駆動トランジスタＱ２０のゲート）に接続されている。
【００４０】
各スイッチングトランジスタＱ２２，Ｑ２３のゲートは、走査線Ｙ１を構成する第１の副走査線Ｙ１ａに接続されており、そのゲートには第１の副走査線Ｙ１ａからの第１走査信号Ｓｃ１ａが入力される。各スイッチングトランジスタＱ２２，Ｑ２３は、Ｈレベルの第１走査信号Ｓｃ１ａによりオンし、Ｌレベルの第１走査信号Ｓｃ１ａによりオフする。各スイッチングトランジスタＱ２２，Ｑ２３がオンすると、前記データ線Ｘ１から供給されるデータ電流Ｉｄ１がスイッチングトランジスタＱ２２及びＱ２３を介して保持キャパシタＣ１に供給されるようになっている。
【００４１】
スイッチングトランジスタＱ２１のゲートは、走査線Ｙ１を構成する第２の副走査線Ｙ１ｂに接続されており、そのゲートには第２の副走査線Ｙ１ｂからの第２走査信号Ｓｃ１ｂが入力される。また、有機ＥＬ素子２１（画素電極）は、スイッチングトランジスタＱ２４を介して、次段の走査線Ｙ２（具体的には、走査線Ｙ１の次に選択される走査線Ｙ２）を構成する第１の副走査線Ｙ２ａに接続されている。スイッチングトランジスタＱ２４のゲートも、走査線Ｙ１を構成する第２の副走査線Ｙ１ｂに接続されており、そのゲートには第２走査信号Ｓｃ１ｂが入力される。
【００４２】
スイッチングトランジスタＱ２１は、Ｌレベルの第２走査信号Ｓｃ１ｂによりオンし、Ｈレベルの第２走査信号Ｓｃ１ｂによりオフする。一方、スイッチングトランジスタＱ２４は、Ｈレベルの第２走査信号Ｓｃ１ｂによりオンし、Ｌレベルの第２走査信号Ｓｃ１ｂによりオフする。すなわち、スイッチングトランジスタＱ２１とスイッチングトランジスタＱ２４とは、第２走査信号Ｓｃ１ｂの信号レベルに基づいて相補的にオン・オフされる。また、スイッチングトランジスタＱ２１はＮチャネルトランジスタより構成され、スイッチングトランジスタＱ２４はＰチャネルトランジスタより構成されていてもよい。
【００４３】
スイッチングトランジスタＱ２１は、前記駆動トランジスタＱ２０がオン状態において、第２走査信号Ｓｃ１ｂによりオンされると、前記有機ＥＬ素子２１に駆動電流を供給するようになっている。一方、第２走査信号Ｓｃ１ｂにより、スイッチングトランジスタＱ２１がオフされ、スイッチングトランジスタＱ２４がオンされると、前記有機ＥＬ素子２１（画素電極）に次段の走査線Ｙ２（第１の副走査線Ｙ２ａ）からの第１走査信号Ｓｃ２ａが供給される。
【００４４】
本実施形態において、走査線駆動回路１２が出力する低レベル（Ｌレベル）の第１走査信号Ｓｃ１ａ〜Ｓｃｎａは、基準電圧Ｖｓｓ（＝０Ｖ）以下であれば基本的によいが、本実施形態では、基準電圧Ｖｓｓ（＝０Ｖ）よりも低い信号レベルである。そして、スイッチングトランジスタＱ２４がオンされると、そのＬレベルの第１走査信号Ｓｃ２ａの電圧、すなわち、負電圧が有機ＥＬ素子２１の画素電極に供給され、その有機ＥＬ素子２１には逆バイアス（逆方向電圧）が加わるようになっている。
【００４５】
図３は、図２の画素回路２０を駆動するための各走査信号の波形を示すタイミングチャートである。
図３に示すように、時刻ｔ１１〜ｔ１２の期間において、第１の副走査線Ｙ１ａにスイッチングトランジスタＱ２３及びＱ２２をオン状態とするＨレベルの第１走査信号Ｓｃ１ａが出力される。すると、スイッチングトランジスタＱ２２，Ｑ２３が共にオン状態となる。このとき、データ線Ｘ１とプログラムトランジスタＱ２５のドレインとが電気的に接続されるとともに、プログラムトランジスタＱ２５は、そのゲートとドレインとが電気的に接続されたダイオード接続になる。従って、プログラムトランジスタＱ２５は、データ線Ｘ１より供給されたデータ電流Ｉｄ１を自己のチャネルに流し、そのデータ電流Ｉｄ１に応じたゲート電圧を自己のゲートに発生させる。プログラムトランジスタＱ２５のゲートに接続された保持キャパシタＣ１には、プログラムトランジスタＱ２５のゲート電圧に応じた電荷が蓄積され、その蓄積された電荷に相当するデータが書き込まれる。これにより、駆動トランジスタＱ２０のゲートに印加される電圧（ゲート電圧）は、データ電流Ｉｄ１に基づいて設定した輝度階調に相当する電圧に到達する。
【００４６】
時刻ｔ１２以降では、スイッチングトランジスタＱ２２，Ｑ２３をオフ状態とするために、第１走査信号Ｓｃ１ａはＬレベルとする。これにより、データ電流Ｉｄ１が供給されるデータ線Ｘ１とプログラムトランジスタＱ２５のドレインとが電気的に分離され、プログラムトランジスタＱ２５のゲートとドレインとの間も電気的に分離される。そして、駆動トランジスタＱ２０のゲートには、保持キャパシタＣ１の蓄積電荷に応じたゲート電圧が印加され続ける。
【００４７】
時刻ｔ１１〜ｔ１３の期間では、第２の副走査線Ｙ１ｂにＬレベルの第２走査信号Ｓｃ１ｂが出力されるため、スイッチングトランジスタＱ２１はオン状態となっている。また、駆動トランジスタＱ２０は、設定されたゲート電圧に応じた導通状態となり、そのゲート電圧（保持キャパシタＣ１のデータ）に応じた駆動電流をスイッチングトランジスタＱ２１を介して有機ＥＬ素子２１に供給する。従って、有機ＥＬ素子２１は、供給される駆動電流に応じた輝度階調で発光する。
【００４８】
時刻ｔ１３〜ｔ１４の期間では、第２の副走査線Ｙ１ｂにＨレベルの第２走査信号Ｓｃ１ｂが出力されるため、スイッチングトランジスタＱ２１はオフとなる。スイッチングトランジスタＱ２１がオフすると、有機ＥＬ素子２１に対する駆動電流の経路が遮断されるため、有機ＥＬ素子２１は非発光状態になる。またこのとき、スイッチングトランジスタＱ２４がオンすることで、有機ＥＬ素子２１（画素電極）がそのスイッチングトランジスタＱ２４を介して次段の走査線Ｙ２（第１の副走査線Ｙ２ａ）に導通される。
【００４９】
次段の走査線Ｙ２における第１の副走査線Ｙ２ａには、走査線Ｙ１にＨレベルの第１走査信号Ｓｃ１ａが出力される期間（ｔ１１〜ｔ１２）の直後（時刻ｔ２１〜ｔ２２）にＨレベルの第１走査信号Ｓｃ２ａが出力されており、それ以外の期間ではＬレベルの第１走査信号Ｓｃ２ａが出力されている。
【００５０】
つまり、時刻ｔ１３〜ｔ１４の期間では、次段の走査線Ｙ２（第１の副走査線Ｙ２ａ）からのＬレベルの第１走査信号Ｓｃ２ａが有機ＥＬ素子２１（画素電極）に供給される。このＬレベルの第１走査信号Ｓｃ２ａは、基準電圧Ｖｓｓ（＝０Ｖ）よりもΔＶｓｓだけ低い信号レベルをとる。従って、有機ＥＬ素子２１を狭持する画素電極と対向電極とにおいて、画素電極には対向電極の基準電圧ＶｓｓよりもΔＶｓｓだけ低い負電圧が加わるため、有機ＥＬ素子２１にはその負電圧に応じた逆バイアスが印加される。
【００５１】
このように、画素回路２０を構成することにより、１水平走査期間（１Ｈ）において、順バイアス及び逆バイアスの双方が有機ＥＬ素子２１に印加される。
この実施の形態において、走査線Ｙ１を第１の副走査線Ｙ１ａと第２の副走査線Ｙ１ｂとにより構成したが、スイッチングトランジスタＱ２１及びスイッチングトランジスタＱ２４のゲートを第１の副走査線Ｙ１ａに接続してもよい。すなわち、スイッチングトランジスタＱ２１〜Ｑ２４のゲートはすべて共通の走査線Ｙ１（第１の副走査線Ｙ１ａ）に接続しても、データの書き込み、有機ＥＬ素子２１への駆動電流の供給、及び有機ＥＬ素子２１への非順バイアスの印加という、上述の一連の基本的動作は可能である。ただし、この場合は、データの書き込みと有機ＥＬ素子２１への非順バイアスの印加とが同時に行われることになる。
【００５２】
詳述すると、図３に示すタイミングチャートにおいて、時刻ｔ１１〜ｔ１２の期間に、走査線Ｙ１（第１の副走査線Ｙ１ａ）にＨレベルの走査信号Ｓｃ１ａが出力されるため、スイッチングトランジスタＱ２３、Ｑ２２及びＱ２４がオン状態となる。一方、スイッチングトランジスタＱ２１は、スイッチングトランジスタＱ２３、Ｑ２２及びＱ２４とは反対の導電型であるＰチャネル型であるため、時刻ｔ１１〜ｔ１２の期間において、スイッチングトランジスタＱ２１はオフ状態となり、駆動トランジスタＱ２０と有機ＥＬ素子２１とが電気的に切断される。この時、上述のようにスイッチングトランジスタＱ２４はオン状態となるため、スイッチングトランジスタＱ２４を介して有機ＥＬ素子２１に対して次段の走査線である走査線Ｙ２を構成する副走査線Ｙ２ａから逆バイアスが印加されることとなる。
【００５３】
もちろん、この時、スイッチングトランジスタＱ２２及びＱ２３もオン状態となっているので、駆動トランジスタＱ２０のゲートに印加される電圧（ゲート電圧）は、データ電流Ｉｄ１に相応する電圧レベルとなり、駆動トランジスタＱ２０の導通状態はデータ電流Ｉｄ１に相応したものとなる。
【００５４】
時刻ｔ１２〜ｔ１４の期間では、走査線Ｙ１（第１の副走査線Ｙ１ａ）にはＬレベルの走査信号Ｓｃ１ａが出力されるため、スイッチングトランジスタＱ２２、Ｑ２３、及びＱ２４はオフ状態となる。一方、スイッチングトランジスタＱ２１はオン状態となるため駆動トランジスタＱ２０と有機ＥＬ素子２１とが電気的に接続され、時刻ｔ１１〜ｔ１２の期間に設定された駆動トランジスタＱ２０の導通状態に相応した駆動電流が有機ＥＬ素子２１に供給されることになる。
【００５５】
上述のように、画素回路２０に含まれるトランジスタのうち少なくともデータ線Ｘとの導通を制御するトランジスタと、有機ＥＬ素子２１等の電気光学素子に対する非順バイアスの印加を制御するトランジスタと、を共通の制御信号（例えば、走査信号）によって動作させる。この構成によって、画素回路２０に対して設けられる配線の数を低減することが可能となり、開口率の向上が図られる。
【００５６】
以上詳述したように本実施の形態は、以下の特徴を有する。
（１）順バイアス及び逆バイアスの双方が有機ＥＬ素子２１に印加され、両極性のストレスが交互に作用するので、有機ＥＬ素子２１の寿命の向上を図ることができる。
【００５７】
（２）次段の走査線Ｙ（第１の副走査線Ｙ１ａ〜Ｙｎａ）を利用して逆バイアスを印加する構成であるので、逆バイアスを供給するための配線を別途設ける必要が無い。その結果、開口率の低下を抑制することができる。
【００５８】
（３）画素回路２０において、有機ＥＬ素子２１の画素電極を次段の走査線に導通させるスイッチングトランジスタＱ２４としてＮチャネルのトランジスタを用いることにより、画素電極に対向電極よりも低い電圧（負電圧）を確実に供給することができる。
【００５９】
（第２実施形態）
次に、本発明の第２実施形態について図４及び図５に従って説明する。本実施形態において、画素回路２０が第１実施形態と相違する。従って、その相違する部分について詳細に説明する。
【００６０】
図４に示すように、本実施形態の画素回路２０では、第１実施形態と相違してスイッチングトランジスタＱ２１を省略し、リセットトランジスタＱ２６を追加している。
【００６１】
詳しくは、駆動トランジスタＱ２０のドレインは有機ＥＬ素子２１（画素電極）に接続されている。また、リセットトランジスタＱ２６は、保持キャパシタＣ１に対して並列に接続されている。このリセットトランジスタＱ２６のゲートは、走査線Ｙ１を構成する第３の副走査線Ｙ１ｃに接続され、そのゲートには第３の副走査線Ｙ１ｃからのリセット信号Ｓｃ１ｒが入力される。
【００６２】
なお、本実施形態では、各走査線Ｙ１〜Ｙｎは、第１の副走査線Ｙ１ａ〜Ｙｎａと第２の副走査線Ｙ１ｂ〜Ｙｎｂと第３の副走査線Ｙ１ｃ〜Ｙｎｃとで構成されている。また、リセットトランジスタＱ２６は、Ｎチャネルトランジスタより構成されており、Ｈレベルのリセット信号Ｓｃ１ｒによりオンする。
【００６３】
図５は、本実施形態の画素回路２０を駆動するための各走査信号の波形を示すタイミングチャートである。
図５に示すように、上記第１実施形態と相違してＨレベルの第２走査信号Ｓｃ１ｂが出力される直前の期間（時刻ｔ１２１〜ｔ１２２）で、リセットトランジスタＱ２６をオン状態とするＨレベルのリセット信号Ｓｃ１ｒが出力されている。
【００６４】
時刻ｔ１２１〜ｔ１２２の期間において、Ｈレベルのリセット信号Ｓｃ１ｒが出力されると、リセットトランジスタＱ２６がオン状態となる。リセットトランジスタＱ２６がオン状態となると、第１の電源線Ｌｄｄから電源電圧Ｖｄｄが同リセットトランジスタＱ２６を介して保持キャパシタＣ１に印加されるため、時刻ｔ１〜ｔ２においてデータ電流Ｉｄ１に基づいて設定された電圧が消去される。つまり、時刻ｔ１２１〜ｔ１２２の期間では、保持キャパシタＣ１のデータがリセットされ、駆動トランジスタのＱ２０のゲート電圧は電源電圧Ｖｄｄの電位となる。そのため、駆動トランジスタのＱ２０が実質的にオフし、有機ＥＬ素子２１に対する駆動電流の経路が遮断され、有機ＥＬ素子２１は非発光状態になる。
【００６５】
本実施形態では、Ｈレベルの走査信号Ｓｃ１ａが出力される時刻ｔ１１からＨレベルのリセット信号Ｓｃ１ｒが出力される時刻ｔ１２１までの期間が発光期間になる。
【００６６】
その後、時刻ｔ１３〜ｔ１４の期間では、Ｈレベルの第２走査信号Ｓｃ１ｂが出力されスイッチングトランジスタＱ２４がオンすることで、有機ＥＬ素子２１（画素電極）がスイッチングトランジスタＱ２４を介して次段の走査線Ｙ２（第１の副走査線Ｙ２ａ）に導通される。このとき、次段の走査線Ｙ２（第１の副走査線Ｙ２ａ）からのＬレベルの第１走査信号Ｓｃ２ａが画素電極に供給されて、有機ＥＬ素子２１には逆バイアスが印加される。
【００６７】
本実施形態の画素回路２０においても、順バイアス及び逆バイアスの双方を有機ＥＬ素子２１に印加することができるため、第１実施形態と同様に、有機ＥＬ素子２１の寿命の向上を図ることができる。また、リセットトランジスタＱ２６により保持キャパシタＣ１がリセットされ、駆動トランジスタＱ２０がオフ状態とされた後に有機ＥＬ素子２１に逆バイアスが印加される。この場合、第１実施形態のように、駆動電流の経路を遮断するためのスイッチングトランジスタＱ２１を設けることなく、逆バイアスを確実に印加することができる。
【００６８】
（第３実施形態）
次に、本発明の第３実施形態について図６及び図７に従って説明する。本実施形態において、画素回路２０が第１実施形態と相違する。従って、その相違する部分について詳細に説明する。
【００６９】
図６に示すように、本実施形態の画素回路２０では、第１実施形態と相違してプログラムトランジスタＱ２５を省略している。また、駆動トランジスタＱ２０と有機ＥＬ素子２１との間に設けられるスイッチングトランジスタＱ２１ａが、Ｎチャネルトランジスタより構成されている。なお、本実施形態でも、第２実施形態と同様に、各走査線Ｙ１〜Ｙｎは、第１の副走査線Ｙ１ａ〜Ｙｎａと第２の副走査線Ｙ１ｂ〜Ｙｎｂと第３の副走査線Ｙ１ｃ〜Ｙｎｃとで構成されている。
【００７０】
詳しくは、駆動トランジスタＱ２０のドレインは、スイッチングトランジスタＱ２１ａを介して有機ＥＬ素子２１（画素電極）に接続されるとともに、スイッチングトランジスタＱ２２とスイッチングトランジスタＱ２３との接続点に接続されている。
【００７１】
スイッチングトランジスタＱ２１ａのゲートは、走査線Ｙ１を構成する第２の副走査線Ｙ１ｂに接続されており、そのゲートには第２の副走査線Ｙ１ｂからの第２走査信号Ｓｃ１ｂが入力される。スイッチングトランジスタＱ２４のゲートは、走査線Ｙ１を構成する第３の副走査線Ｙ１ｃに接続されており、そのゲートには第３の副走査線Ｙ１ｃからの第３走査信号Ｓｃ１ｃが入力される。
【００７２】
スイッチングトランジスタＱ２１ａは、Ｈレベルの第２走査信号Ｓｃ１ｂによりオンし、Ｌレベルの第２走査信号Ｓｃ１ｂによりオフする。一方、スイッチングトランジスタＱ２４は、Ｈレベルの第３走査信号Ｓｃ１ｃによりオンし、Ｌレベルの第３走査信号Ｓｃ１ｃによりオフする。
【００７３】
図７は、本実施形態の画素回路２０を駆動するための各走査信号の波形を示すタイミングチャートである。
図７に示すように、時刻ｔ１１〜ｔ１２の期間において、Ｈレベルの第１走査信号Ｓｃ１ａが出力されると、各スイッチングトランジスタＱ２２，Ｑ２３が共にオンする。このとき、データ線Ｘ１と駆動トランジスタＱ２０のドレインとが電気的に接続されるとともに、駆動トランジスタＱ２０は、そのゲートとドレインとが電気的に接続されたダイオード接続になる。従って、駆動トランジスタＱ２０は、データ線Ｘ１より供給されたデータ電流Ｉｄ１を自己のチャネルに流し、そのデータ電流Ｉｄ１に応じたゲート電圧を自己のゲートに発生させる。駆動トランジスタＱ２０のゲートに接続された保持キャパシタＣ１には、駆動トランジスタＱ２０のゲート電圧に応じた電圧が蓄積され、蓄積された電荷に相当するデータが書き込まれる。
【００７４】
このように、時刻ｔ１１〜ｔ１２の期間において、駆動トランジスタＱ２０は、保持キャパシタＣ１にデータを書き込むプログラムトランジスタとしても機能する。また、この期間では、第２走査信号Ｓｃ１ｂはＬレベルに維持されているため、スイッチングトランジスタＱ２１ａはオフし、有機ＥＬ素子２１に対する駆動電流の経路が遮断され、有機ＥＬ素子２１は非発光状態になっている。
【００７５】
時刻ｔ１２以降では、第１走査信号Ｓｃ１ａはＬレベルとなるため、各スイッチングトランジスタＱ２２，Ｑ２３は共にオフする。これにより、データ電流Ｉｄ１が供給されるデータ線Ｘ１と駆動トランジスタＱ２０のドレインとが電気的に分離され、駆動トランジスタＱ２０のゲートとドレインとの間も電気的に分離される。そして、駆動トランジスタＱ２０のゲートには、保持キャパシタＣ１の蓄積電荷に応じたゲート電圧が印加され続ける。
【００７６】
また、時刻ｔ１２〜ｔ１３の期間において、第２の副走査線Ｙ１ｂにＨレベルの第２走査信号Ｓｃ１ｂが出力されるため、スイッチングトランジスタＱ２１ａがオンする。従って、駆動トランジスタＱ２０は、ゲート電圧（保持キャパシタＣ１に蓄積された電荷量）に応じた駆動電流をスイッチングトランジスタＱ２１ａを介して有機ＥＬ素子２１に供給する。そして、有機ＥＬ素子２１は、供給される駆動電流に応じた輝度階調で発光する。
【００７７】
時刻ｔ１３において、第２走査信号Ｓｃ１ｂがＬレベルとなると、スイッチングトランジスタＱ２１ａがオフし、有機ＥＬ素子２１に対する駆動電流の経路が遮断され、有機ＥＬ素子２１は非発光状態になる。
【００７８】
また、時刻ｔ１３〜ｔ１４の期間では、第３の副走査線Ｙ１ｃにＨレベルの第３走査信号Ｓｃ１ｃが出力されるため、スイッチングトランジスタＱ２４がオンする。従って、有機ＥＬ素子２１（画素電極）がスイッチングトランジスタＱ２４を介して次段の走査線Ｙ２（第１の副走査線Ｙ２ａ）に導通される。このとき、次段の走査線Ｙ２（第１の副走査線Ｙ２ａ）からのＬレベルの第１走査信号Ｓｃ２ａが画素電極に供給され、有機ＥＬ素子２１には逆バイアスが印加される。
【００７９】
本実施形態の画素回路２０においても、バイアス及び逆バイアスの双方を有機ＥＬ素子２１に印加することができるため、第１実施形態と同様に、有機ＥＬ素子２１の寿命の向上を図ることができる。
【００８０】
なお、本実施形態の画素回路２０において、スイッチングトランジスタＱ２１ａとスイッチングトランジスタＱ２４はともにＮチャネルトランジスタであるとして記載した。この構成以外にも、スイッチングトランジスタＱ２１ａをＮチャネルトランジスタより構成し、スイッチングトランジスタＱ２４をＰチャネルトランジスタより構成してもよい。あるいは、スイッチングトランジスタＱ２１ａ及びスイッチングトランジスタＱ２４をそれぞれＰチャネルトランジスタ及びＮチャネルトランジスタにより構成してもよい。
【００８１】
このように、スイッチングトランジスタＱ２１ａ及びＱ２４の導電型を互いに異ならせることにより、スイッチングトランジスタＱ２１ａのゲート電極及びスイッチングトランジスタＱ２４のゲート電極をともに走査線Ｙ１を構成する第２の副走査線Ｙ１ｂに接続することができる。
【００８２】
すなわち、スイッチングトランジスタＱ２１ａは、Ｌレベルの第２走査信号Ｓｃ１ｂによりオン状態となり、Ｈレベルの第２走査信号Ｓｃ１ｂによりオフ状態となる。一方、スイッチングトランジスタＱ２４は、Ｈレベルの第２走査信号Ｓｃ１ｂによりオン状態となり、Ｌレベルの第２走査信号Ｓｃ１ｂによりオフ状態となる。つまり、スイッチングトランジスタＱ２１ａとスイッチングトランジスタＱ２４とは、第２走査信号Ｓｃ１ｂの信号レベルに基づいて相補的に制御される。
【００８３】
さらに、スイッチングトランジスタＱ２２、Ｑ２３、及びＱ２４は全て同一の導電型であり、スイッチングトランジスタＱ２１ａはスイッチングトランジスタＱ２２、Ｑ２３、及びＱ２４とは異なる導電型とすれば、スイッチングトランジスタＱ２１ａ，Ｑ２２，Ｑ２３及びＱ２４のゲートを同一の副走査線であるＹ１ａに接続することもできる。この場合、第１の実施形態に関連して述べたように、画素回路２０に対するデータ書き込みと有機ＥＬ素子２１に対する非順バイアスの印加とは、同時に行われることとなる。
【００８４】
これによれば、スイッチングトランジスタＱ２１aとスイッチングトランジスタＱ２４とを共通の制御信号により制御することができ、必要となる配線の増加を抑えることができる。
【００８５】
（第４実施形態）
次に、本発明の第４実施形態について図８及び図９に従って説明する。本実施形態において、画素回路２０が第１実施形態と相違する。従って、その相違する部分について詳細に説明する。
【００８６】
図８に示すように、本実施形態の画素回路２０では、第１実施形態と相違して、スイッチングトランジスタＱ２１が省略され、走査線Ｙ１が第１〜第３の副走査線Ｙ１ａ〜Ｙ１ｃにより構成される。そして、スイッチングトランジスタＱ２２のゲートは、走査線Ｙ１を構成する第２の副走査線Ｙ１ｂに接続されており、そのゲートには第２の副走査線Ｙ１ｂからの第２走査信号Ｓｃ１ｂが入力される。また、スイッチングトランジスタＱ２４のゲートは、走査線Ｙ１を構成する第３の副走査線Ｙ１ｃに接続されており、そのゲートには第３の副走査線Ｙ１ｃからの第３走査信号Ｓｃ１ｃが入力される。
【００８７】
図９は、図８の画素回路２０を駆動するための各走査信号の波形を示すタイミングチャートである。
図９に示すように、時刻ｔ１１〜ｔ１２の期間において、第１の副走査線Ｙ１ａにスイッチングトランジスタＱ２３をオン状態とするＨレベルの第１走査信号Ｓｃ１ａが出力される。第２の副走査線Ｙ１ｂにスイッチングトランジスタＱ２２をオン状態とするＨレベルの第２走査信号Ｓｃ１ｂが出力される。すると、スイッチングトランジスタＱ２２，Ｑ２３が共にオン状態となる。このとき、データ線Ｘ１とプログラムトランジスタＱ２５のドレインとが電気的に接続されるとともに、プログラムトランジスタＱ２５は、そのゲートとドレインとが電気的に接続されたダイオード接続になる。従って、プログラムトランジスタＱ２５は、データ線Ｘ１より供給されたデータ電流Ｉｄ１を自己のチャネルに流し、そのデータ電流Ｉｄ１に応じたゲート電圧を自己のゲートに発生させる。プログラムトランジスタＱ２５のゲートに接続された保持キャパシタＣ１には、プログラムトランジスタＱ２５のゲート電圧に応じた電荷が蓄積される。つまり、データに相当する電荷量が保持キャパシタＣ１に書き込まれる。これにより、駆動トランジスタＱ２０のゲートに印加される電圧（ゲート電圧）は、データ電流Ｉｄ１に基づいて設定した輝度階調に相当する電圧に到達する。
【００８８】
図９に示すように、上記第１実施形態と相違してＨレベルの第２走査信号Ｓｃ１ｂが出力される直前の期間（時刻ｔ１２１〜ｔ１２２）で、スイッチングトランジスタＱ２２をオン状態とするＨレベルの第２走査信号Ｓｃ１ｂが出力されている。
【００８９】
時刻ｔ１２１〜ｔ１２２の期間において、Ｈレベルの第２走査信号Ｓｃ１ｂが出力されると、スイッチングトランジスタＱ２２がオン状態となる。スイッチングトランジスタＱ２２がオン状態となると、スイッチングトランジスタＱ２２とプログラムトランジスタＱ２５を介して保持キャパシタＣ１に印加された電圧が消去される。そのため、駆動トランジスタのＱ２０が実質的にオフし、有機ＥＬ素子２１に対する駆動電流の経路が遮断され、有機ＥＬ素子２１は非発光状態になる。
【００９０】
本実施形態では、Ｈレベルの走査信号Ｓｃ１ａが出力される時刻ｔ１１からＨレベルの第２走査信号Ｓｃ１ｂが出力される時刻ｔ１２１までの期間が発光期間になる。
【００９１】
（第５実施形態）  前記各実施形態で説明した電気光学装置としての有機ＥＬディスプレイ１０を用いた電子機器について説明する。有機ＥＬディスプレイ１０は、モバイル型のパーソナルコンピュータ、携帯電話、デジタルカメラ等種々の電子機器に適用できる。
【００９２】
図１０は、モバイル型のパーソナルコンピュータの構成を示す斜視図を示す。図１０において、パーソナルコンピュータ３０は、キーボード３１を備えた本体部３２と、前記有機ＥＬディスプレイ１０を用いた表示ユニット３３とを備えている。この場合でも、有機ＥＬディスプレイ１０を用いた表示ユニット３３は前記実施形態と同様な効果を発揮する。その結果、パーソナルコンピュータ３０の表示品位を長期間にわたって維持することができる。
【００９３】
尚、本発明の実施形態は、以下のように変更してもよい。
○上記各実施形態の画素回路２０は、データ電流Ｉｄ１〜Ｉｄｍに応じた電荷を保持キャパシタＣ１にセットする電流プログラム方式の回路構成であるが、これに限定されるものではなく、電圧プログラム方式の画素回路２０にも本発明を適用することができる。
【００９４】
図１１には、その電圧プログラム方式の画素回路２０の具体例を示している。すなわち、図１１の画素回路２０において、駆動トランジスタＱ２０は、ドレインが有機ＥＬ素子２１（画素電極）に接続され、ソースが第１の電源線Ｌｄｄに接続されている。また、駆動トランジスタＱ２０のゲートと第１の電源線Ｌｄｄとの間には、保持キャパシタＣ１が接続されている。さらに、駆動トランジスタＱ２０のゲートは、スイッチングトランジスタＱ２２を介してデータ線Ｘ１に接続されるとともに、リセットトランジスタＱ２６を介して第１の電源線Ｌｄｄに接続されている。また、有機ＥＬ素子２１（画素電極）は、スイッチングトランジスタＱ２４を介して次段の走査線Ｙ２を構成する第１の副走査線Ｙ２ａに接続されている。
【００９５】
スイッチングトランジスタＱ２２のゲートは、走査線Ｙ１を構成する第１の副走査線Ｙ１ａに接続されており、そのゲートには第１の副走査線Ｙ１ａからの第１走査信号Ｓｃ１ａが入力される。スイッチングトランジスタＱ２４のゲートは、走査線Ｙ１を構成する第２の副走査線Ｙ１ｂに接続されており、そのゲートには第２の副走査線Ｙ１ｂからの第２走査信号Ｓｃ１ｂが入力される。リセットトランジスタＱ２６のゲートは、走査線Ｙ１を構成する第３の副走査線Ｙ１ｃに接続されており、そのゲートには第３の副走査線Ｙ１ｃからのリセット信号Ｓｃ１ｒが入力される。
【００９６】
この画素回路２０は、上記第２実施形態と同様の走査信号、すなわち、図５に示す各走査信号によって駆動される。具体的には、時刻ｔ１１〜ｔ１２の期間において、Ｈレベルの第１走査信号Ｓｃ１ａが出力されると、スイッチングトランジスタＱ２２がオンする。このとき、データ線Ｘ１からのデータ電圧Ｄｄ１が保持キャパシタＣ１に供給される。これにより、駆動トランジスタＱ２０のゲートに印加される電圧（ゲート電圧）は、データ電圧Ｄｄ１に基づいて設定した輝度階調に相当する電圧に到達する。そして、そのゲート電圧に応じた駆動電流が有機ＥＬ素子２１に供給され、供給される駆動電流に応じた輝度階調で有機ＥＬ素子２１が発光する。
【００９７】
その後、時刻ｔ１２１〜ｔ１２２の期間において、Ｈレベルのリセット信号Ｓｃ１ｒが出力されると、リセットトランジスタＱ２６がオンする。このとき、第１の電源線Ｌｄｄから電源電圧ＶｄｄがリセットトランジスタＱ２６を介して保持キャパシタＣ１に印加され、保持キャパシタＣ１がリセットされる。従って、駆動トランジスタのＱ２０のゲート電圧は電源電圧Ｖｄｄの電位となり、駆動トランジスタのＱ２０がオフして、有機ＥＬ素子２１は非発光状態になる。
【００９８】
さらに、時刻ｔ１３〜ｔ１４の期間では、Ｈレベルの第２走査信号Ｓｃ１ｂが出力されスイッチングトランジスタＱ２４がオンすることで、有機ＥＬ素子２１（画素電極）がそのスイッチングトランジスタＱ２４を介して次段の走査線Ｙ２（第１の副走査線Ｙ２ａ）に導通される。このとき、次段の走査線Ｙ２（第１の副走査線Ｙ２ａ）からのＬレベルの第１走査信号Ｓｃ２ａが画素電極に供給されて、有機ＥＬ素子２１には逆バイアスが印加される。
【００９９】
このように、図１１の画素回路２０においても、順バイアス及び逆バイアスの双方を有機ＥＬ素子２１に印加することができるため、上記各実施形態と同様に、有機ＥＬ素子２１の寿命の向上を図ることができる。
【０１００】
○上記各実施形態における画素回路２０は、次段の走査線を利用してＬレベルの走査信号を供給し、有機ＥＬ素子２１に逆バイアスを印加する構成であるが、これに限定されるものではない。例えば、画素回路２０を駆動する走査線の前段の走査線やそれ以外の走査線を利用して逆バイアスを印加する構成としてもよい。但し、上記実施形態のように、隣接する次段の走査線の電位を利用して逆バイアスを印加する構成とする方が、逆バイアスの印加のために必要となる配線を短くできるので、開口率の低下を抑制する上で好ましいものとなる。
【０１０１】
○図１２に示す画素回路２０のように、走査線ではなく負電圧Ｖｏｆｆを印加するための電圧供給線Ｌｏｆｆによって逆バイアスを印加する回路構成としてもよい。つまり、図１２の画素回路２０は、図４に示す第２実施形態の画素回路２０と相違して、スイッチングトランジスタＱ２４を電圧供給線Ｌｏｆｆに接続している。そして、スイッチングトランジスタＱ２４をオンし有機ＥＬ素子２１の画素電極を電圧供給線Ｌｏｆｆに導通させることで、該有機ＥＬ素子２１の画素電極に負電圧Ｖｏｆｆを供給するようにしている。このようにしても、逆バイアスを有機ＥＬ素子２１に印加することができるため、有機ＥＬ素子２１の寿命の向上を図ることができる。
【０１０２】
○図４、図１１及び図１２の画素回路２０では、リセットトランジスタＱ２６を用いて保持キャパシタＣ１のデータをリセットする構成であるが、これに限定されるものではない。すなわち、画素回路２０にて、リセットトランジスタＱ２６を省略し、データ線Ｘからのリセットデータを保持キャパシタＣ１に書き込むよう構成してもよい。なおこの場合には、リセットデータを出力するデータ線駆動回路１３がリセット機構に相当する。
【０１０３】
○第１実施形態において、図１３に示す各走査信号により画素回路２０を駆動してもよい。すなわち、時刻ｔ１１〜ｔ１２の期間では、Ｈレベルの第１走査信号Ｓｃ１ａにより、上記第１実施形態と同様のプロセスで保持キャパシタＣ１に対するデータ書き込みが行われる。また、上記第１実施形態と相違して時刻ｔ１３〜ｔ１４の期間では、第２走査信号Ｓｃ１ｂが所定周期でＨレベルとＬレベルとを交互に繰り返すパルス波形となっている。第２走査信号Ｓｃ１ｂがＨレベルである場合、スイッチングトランジスタＱ２１がオフして、スイッチングトランジスタＱ２４がオンする。この場合、スイッチングトランジスタＱ２１により駆動電流の経路が遮断されるとともに、スイッチングトランジスタＱ２４によりＬレベルの走査信号Ｓｃ２ａが有機ＥＬ素子２１（画素電極）に供給されるため、有機ＥＬ素子２１は逆バイアス状態（非発光状態）になる。一方、第２走査信号Ｓｃ１ｂがＬレベルである場合、スイッチングトランジスタＱ２１がオンして、スイッチングトランジスタＱ２４がオフする。この場合、駆動電流の経路が形成されるため、有機ＥＬ素子２１は順バイアス状態（発光状態）になる。このように、時刻ｔ１３〜ｔ１４の期間においては、有機ＥＬ素子２１への逆バイアスの印加が断続的になり、駆動電流の経路も断続的に形成されるため、有機ＥＬ素子２１の駆動モードは、発光と非発光とを交互に繰り返すインパルス駆動となる。
【０１０４】
この駆動モードを採用する場合、１フレーム（あるいは１垂直走査期間）内において、逆バイアスの印加が複数回実施されることとなり、有機ＥＬ素子２１の寿命をより向上させることができる。また、有機ＥＬ素子２１が非発光となる期間が分散される。その結果、表示画像のちらつきを抑制でき、動画表示特性の改善を図ることができる。
【０１０５】
○上記各実施形態では、非発光期間において、走査線Ｙ、電圧供給線Ｌｏｆｆの電位、すなわち画素電極に印加する電位を対向電極の電位（具体的には、０Ｖ）よりも低くして、有機ＥＬ素子２１に逆バイアスを印加するよう構成したが、これに限定されるものではない。つまり、非発光期間において、非順バイアスを加えるものであればよく、例えば、次段の走査線Ｙの電位を対向電極と同等の電位とし、有機ＥＬ素子２１にバイアスを与えないようにしてもよい。
【符号の説明】
【０１０６】
Ｃ１…保持部としての保持キャパシタ、Ｌｏｆｆ…電圧供給線、Ｑ２０…駆動素子としての駆動トランジスタ、Ｑ２１，２１ａ…第３のスイッチング素子としてのスイッチングトランジスタ、Ｑ２２，Ｑ２３…第１のスイッチング素子としてのスイッチングトランジスタ、Ｑ２４…第２のスイッチング素子としてのスイッチングトランジスタ、Ｑ２６…リセット機構としてのリセットトランジスタ、Ｓｃ１ａ〜Ｓｃｎａ…第１走査信号、Ｘ，Ｘ１〜Ｘｍ…データ線、Ｙ，Ｙ１〜Ｙｎ…走査線、１０…電気光学装置としての有機ＥＬディスプレイ、２０…画素回路、２１…電気光学素子としての有機ＥＬ素子、３０…電子機器としてのパーソナルコンピュータ。
【図１】
2010181903.tif 000003
【図２】
2010181903.tif 000004
【図３】
2010181903.tif 000005
【図４】
2010181903.tif 000006
【図５】
2010181903.tif 000007
【図６】
2010181903.tif 000008
【図７】
2010181903.tif 000009
【図８】
2010181903.tif 000010
【図９】
2010181903.tif 000011
【図１０】
2010181903.tif 000012
【図１１】
2010181903.tif 000013
【図１２】
2010181903.tif 000014
【図１３】
2010181903.tif 000015
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
複数の走査線と、複数のデータ線と、前記複数の走査線と前記複数のデータ線との交差部に対応して設けられ、各々が電気光学素子を含む複数の画素回路と、を含む電気光学装置であって、
前記複数の画素回路の各々は、
前記複数の走査線のうち対応する走査線からの走査信号によって制御される第１のスイッチング素子と、
前記データ線から前記第１のスイッチング素子を介して供給されたデータを保持する保持部と、
前記保持部のデータに応じた駆動電流を前記電気光学素子に供給する駆動素子と、
前記電気光学素子に接続され、該電気光学素子を電圧供給線に導通させるための第２のスイッチング素子と、
を含み、
前記電気光学素子の発光時には、前記電気光学素子に順バイアスを印加することにより、前記電気光学素子は供給される前記駆動電流に応じた輝度で発光し、
前記電気光学素子の非発光時には、前記第２のスイッチング素子をオン状態にして、該電気光学素子に逆バイアスを印加するようにしたことを特徴とする電気光学装置。
【請求項２】
請求項１に記載の電気光学装置において、
前記駆動電流を流す経路に設けられ、前記逆バイアスの印加時に、該経路を電気的に遮断する第３のスイッチング素子を含むことを特徴とする電気光学装置。
【請求項３】
請求項１に記載の電気光学装置において、
前記逆バイアスを印加する際に、前記保持部のデータをリセットするリセット機構を含むことを特徴とする電気光学装置。
【請求項４】
請求項１に記載の電気光学装置において、
前記第２のスイッチング素子は、１フレーム或いは１垂直走査期間において複数回オン状態とされることを特徴とする電気光学装置。
【請求項５】
複数の走査線と、複数のデータ線と、前記複数の走査線と前記複数のデータ線との交差部に対応して設けられ、各々が電気光学素子を含む複数の画素回路と、を含む電気光学装置の駆動方法であって、
前記複数の走査線のうち対応する走査線からの走査信号によってスイッチング素子を制御し、前記データ線から該スイッチング素子を介して供給されるデータを保持部に保持するステップと、
前記電気光学素子に順バイアスを印加することにより、前記電気光学素子を前記データに基づく駆動電流に応じた輝度で発光させるステップと、
前記電気光学素子の非発光時にて、前記電気光学素子を電圧供給線と導通させ、該電気光学素子に逆バイアスを印加するステップと、
を含むことを特徴とする電気光学装置の駆動方法。
【請求項６】
請求項１〜４のいずれか１つに記載の電気光学装置を備えたことを特徴とする電子機器。